(57)【特許請求の範囲】
【請求項１】
給湿水槽に一部が浸漬されて回転する水元ローラと、版胴に転接して回転する水着けローラと、前記水元ローラと水着けローラの間に配置され、水元ローラの表面に付着した水を、転接によって水着けローラに送る１本以上の水移しローラとを備え、前記水元ローラの胴長を、これと転接する前記水移しローラの胴長よりも長く形成したオフセット印刷機用給湿装置において、前記水元ローラまたは水移しローラの少なくともいずれか１本のローラについて、その胴端部表面に水と油を付着し難くする手段を施し、この胴端部表面の間の胴中央部表面層を親油性の素材で形成したことを特徴とするオフセット印刷機用給湿装置。
【請求項２】
前記胴端部表面に水と油を付着し難くする手段が、胴端部表面層を水と油が付着し難いゴムで形成するものである請求項１に記載のオフセット印刷機用給湿装置。
【発明の詳細な説明】
【０００１】
【発明の属する技術分野】
この発明は、オフセット印刷機用の給湿装置に関するものである。
【０００２】
【従来の技術および発明が解決しようとする課題】
図３に示すように、オフセット印刷機１１の版胴１２の部分には、版胴１２に印刷用インキを供給するインキ装置１３と、版胴１２表面に水を付与する給湿装置１４が設けられている。インキ装置１３は、インキつぼ１５のインキを底板１６の間からつぼローラ１７で持ち出し、つぼローラ１７に付着したインキをインキ移しローラ１８で、多数のローラ群１９を介してインキ着けローラ２０に送り、版胴１２にインキを供給するものである。給湿装置１４は、版胴１２の非画線部にインキが着かないように、版胴１２表面に最小限度の水膜を形成させるためのものであり、給湿水槽２１に一部が浸漬されて回転する水元ローラ２２と、版胴１２に転接して回転する水着けローラ２３と、水元ローラ２２の表面に付着した水を、転接によって水着けローラ２３に送る２本の水移しローラ２４、２５とで構成されている。水着けローラ２３に転接する水移しローラ２５は、水着けローラ２３に満遍なく水を付着させるために、軸方向にオシレーションされることが多い。
【０００３】
前記給湿装置１４では、水元ローラ２２、水移しローラ２４、２５および水着けローラ２３の順に水が送られるが、この逆の順序で、版胴１２に転接する水着けローラ２３から水元ローラ２２側へインキが転着してくる。この水着けローラ２３からのインキの転着に対処する手段としては、２種類の方法が採用されている。一つは、水元ローラ２２や、水元ローラ２２に転接する水移しローラ２４の表面を、水だけが付着して、インキが付着しないような材質や構造とする方法であり、他の一つは、水元ローラ２２や水移しローラ２４の表面へのインキの付着を許容し、このローラ表面に付着したインキの膜を利用して、水とインキを乳化させ、給湿水槽２１の水を水元ローラ２２から水着けローラ２３へ送る方法である。
【０００４】
後者の方法は、水元ローラ２２や水移しローラ２４の表面を親油性の材質とすることにより容易に実現でき、給湿装置１４を安価に製造できる利点がある。ローラ表面を親油性の材質とする方法としては、親油性のＮＢＲ（ニトリルブタジエンゴム）等をローラ表面にライニングする方法が多く採用されている。以下、このタイプの給湿装置を簡易型と呼ぶ。
【０００５】
図４に示すように、通常、水元ローラ２２の胴長は、これに転接する水移しローラ２４よりも長く形成されている。上述した簡易型の給湿装置では、水と乳化したインキが各ローラで転着されてくる間にローラ胴端側へ広がり、このローラ胴端側へ広がったインキが水移しローラ２４の胴端からはみ出して、図４中に二点鎖線で示すように、水移しローラ２４と転接しない水元ローラ２２の胴端部に堆積されて固まる。このようにインキが堆積されて、水元ローラ２２の表面に凹凸が生じると、給湿水槽２１に一部浸漬された水元ローラ２２の回転で、給湿水槽２１の水が跳ねて周囲に飛散し、印刷物等を汚す問題がある。
【０００６】
そこで、この発明の課題は、給湿水槽の水跳ねを防止できる簡易型のオフセット印刷機用給湿装置を提供することである。
【０００７】
【課題を解決するための手段】
上記の課題を解決するために、この発明は、給湿水槽に一部が浸漬されて回転する水元ローラと、版胴に転接して回転する水着けローラと、前記水元ローラと水着けローラの間に配置され、水元ローラの表面に付着した水を、転接によって水着けローラに送る１本以上の水移しローラとを備えたオフセット印刷機用給湿装置において、前記水元ローラまたは水移しローラの少なくともいずれか１本のローラについて、その胴端部表面に水と油を付着し難くする手段を施し、この胴端部表面の間の胴中央部表面層を親油性の素材で形成した構成を採用したのである。
【０００８】
すなわち、水元ローラまたは水移しローラの少なくともいずれか１本のローラの胴端部表面を水と油が付着し難くすることにより、水着けローラから転着してくる水と乳化したインキを、この胴端部表面を水と油が付着し難くしたローラの位置で、胴端側へ転着しないようにし、水元ローラの胴端部にインキが堆積されないようにしたのである。
【０００９】
前記胴端部表面に水と油を付着し難くする手段としては、胴端部表面層を水と油が付着し難いゴムで形成する方法を採用することができる。水と油が付着し難いゴムとしては、シリコーンゴムやふっ素ゴムを用いることができる。
【００１０】
【発明の実施の形態】
以下、図面に基づき、この発明の実施形態を説明する。このオフセット印刷機の給湿装置は基本的な構成は図３に示した給湿装置１４と同じであり、図１に示すように、給湿水槽１に一部が浸漬されて回転する水元ローラ２と、版胴３に転接して回転する水着けローラ４と、水元ローラ２の表面に付着した水を、転接によって水着けローラ４に送る２本の水移しローラ５、６とで構成され、水着けローラ４に転接する水移しローラ６は軸方向にオシレーションされるようになっている。
【００１１】
前記水元ローラ２は、図２に示すように、その胴長が水移しローラ５よりも長く形成され、水移しローラ５の胴端よりもわずかに内側から両側胴端までの胴端部表面７は、水や油が付着し難いふっ素ゴムでライニングされている。このふっ素ゴムでライニングされた胴端部表面７の間の胴中央部表面８は、親油性のＮＢＲでライニングされている。したがって、前記水着けローラ４から転着してくる水と乳化したインキは、水元ローラ２の端部表面７に付着せず、この部位にインキが堆積されることはない。
【００１２】
上述した実施形態では、水元ローラの胴端部を水や油が付着し難いふっ素ゴムでライニングしたが、水移しローラの胴端部表面に水や油を付着し難くする手段を施すこともでき、勿論、両者にこの手段を施してもよい。水移しローラが１本または３本以上の場合も、水元ローラまたは水移しローラの少なくとも１本のローラにこの手段を施せば良い。水や油を付着し難くする手段としては、ふっ素ゴムやシリコーンゴムをライニングする方法の他に、水や油が付着し難いものをローラの胴端部表面にコーティングする方法等も採用することができる。
【００１３】
【発明の効果】
以上のように、この発明の簡易型のオフセット印刷機用給湿装置は、水元ローラまたは水移しローラの少なくともいずれか１本のローラの胴端部表面を水と油が付着し難くし、水着けローラから転着してくる水と乳化したインキが、このローラの位置で胴端側へ転着しないようにしたので、水元ローラの胴端部へのインキの堆積による水跳ねをなくすことができる。
【図面の簡単な説明】
【図１】給湿装置の実施形態を示す外観斜視図
【図２】図１の一部省略切欠き平面図
【図３】従来のオフセット印刷機の一部省略縦断面図
【図４】図３の要部拡大平面図
【符号の説明】
１  給湿水槽
２  水元ローラ
３  版胴
４  水着けローラ
５、６  水移しローラ
７  胴端部表面
８  胴中央部表面
１１  オフセット印刷機
１２  版胴
１３  インキ装置
１４  給湿装置
１５  インキつぼ
１６  底板
１７  つぼローラ
１８  インキ移しローラ
１９  ローラ群
２０  インキ着けローラ
２１  給湿水槽
２２  水元ローラ
２３  水着けローラ
２４、２５  水移しローラ
【図１】
0004071888.tif 000002
【図２】
0004071888.tif 000003
【図３】
0004071888.tif 000004
【図４】
0004071888.tif 000005